(57)【要約】【課題】  作業服等の衣服の背中（後ろ見ごろ）に付着した塵埃等を、他の作業者ないし補助者の手助けなしに自力で簡単に除去することができる粘着クリーナー用補助具又はこの粘着クリーナー用補助具を用いた粘着クリーナーを提供する。【解決手段】  粘着ローラー２と、この粘着ローラー２の外周面に貼付された粘着シート３と、上記粘着ローラー２を転動自在に支持してなる支軸４ａと、使用者が把持する把手４ｂと、を有してなる粘着クリーナー１を用いて作業服などの衣服Ｗの後ろ身ごろに付着した塵埃等の付着物を除去するために使用されるものであって、一端は、上記粘着クリーナー１を構成する支軸４ａ又はその近傍に着脱可能に連結される連結部１２が配置され、他端は、使用者が把持する把持部１３が形成されてなるとともに、紐１１ｂ，ロープ，チェーン，コイルバネ１１ａ等の長尺体１１を備えてなる。【選択図】  図１
2010284500.tif 000002
【特許請求の範囲】
【請求項１】
粘着ローラーと、この粘着ローラーの外周面に貼付された粘着シートと、上記粘着ローラーを転動自在に支持してなる支軸を備えたアームと、使用者が把持する把手と、を有してなる粘着クリーナーを用いて作業服などの衣服の後ろ身ごろに付着した塵埃等の付着物を除去するために使用されるものであって、
一端は、上記粘着クリーナーを構成するアーム又は支軸若しくはそれらの近傍に着脱可能に連結される連結部が配置され、他端は、使用者が把持する把持部が形成されてなるとともに、紐，ロープ，チェーン，コイルバネ又はゴム等からなる長尺体を備えてなることを特徴とする粘着クリーナー用補助具。
【請求項２】
粘着ローラーと、この粘着ローラーの外周面に貼付された粘着シートと、上記粘着ローラーを転動自在に支持してなる支軸を備えたアームと、使用者が把持する把手と、を有してなる粘着クリーナーを用いて作業服などの衣服の後ろ身ごろに付着した塵埃等の付着物を除去するために使用されるものであって、
一端は、上記粘着クリーナーを構成するアームに着脱可能に固定される固定部と、この固定部から粘着ローラー側に延在されてなる軸部と、この軸部の先端に形成されてなる連結部と、一端はこの連結部に連結され他端は使用者が把持する把持部が形成されてなるとともに紐，ロープ，チェーン，コイルバネ又はゴム等からなる長尺体と、を備えてなることを特徴とする粘着クリーナー用補助具。
【請求項３】
前記長尺体は、コイルバネ又はゴム紐若しくはゴムチューブ等の弾性材を含んでなることを特徴とする請求項１又は２記載の何れかの粘着クリーナー用補助具。
【請求項４】
前記長尺体は、コイルバネであるとともに、該コイルバネには伸縮時において該コイルバネを被覆する被覆体が装着されてなることを特徴とする請求項１又は２記載の何れかの粘着クリーナー用補助具。
【請求項５】
前記長尺体は、前記連結材が配置されたコイルバネと、一端がこのコイルバネに接続され他端には前記把持部が形成された紐，ロープ，チェーンとからなり、上記コイルバネには、被覆体により覆われてなることを特徴とする請求項１又は２記載の何れかの粘着クリーナー用補助具。
【請求項６】
粘着ローラーと、この粘着ローラーの外周面に貼付された粘着シートと、上記粘着ローラーを転動自在に支持してなる支軸を備えたアームと、使用者が把持する把手と、を有してなる粘着クリーナー本体と、
一端は、上記アーム，支軸又はその近傍に着脱可能に連結される連結部が形成され、他端は、使用者が把持する把持部が固定されてなるとともに紐、ロープ，チェーン又はコイルバネ又はゴム等の長尺体を備えてなることを特徴とする粘着クリーナー。
【請求項７】
粘着ローラーと、この粘着ローラーの外周面に貼付された粘着シートと、上記粘着ローラーを転動自在に支持してなる支軸を備えたアームと、使用者が把持する把手と、を有してなる粘着クリーナー本体と、
一端は、上記アームに着脱可能に固定される固定部と、この固定部から粘着ローラー側に延在されてなる軸部と、この軸部の先端に形成されてなる連結部と、一端はこの連結部に連結され他端は使用者が把持する把持部が形成されてなるとともに紐，ロープ，チェーン，コイルバネ又はゴム等からなる長尺体と、を備えてなることを特徴とする粘着クリーナー。
【請求項８】
前記把手には、前記固定部が前記アームに固定された側又はその反対側を使用者の手指による感触により認知できる識別部が形成されてなることを特徴とする請求項７記載の粘着クリーナー。
【請求項９】
前記第２の発明（請求項２記載の発明）に係る粘着クリーナー用補助具と、識別体と、とが包装材により包装されてなる粘着クリーナー用補助具セットであって、
上記識別体は、粘着ローラーと、この粘着ローラーの外周面に貼付された粘着シートと、上記粘着ローラーを転動自在に支持してなる支軸を備えたアームと、使用者が把持する把手と、を有してなる粘着クリーナーを構成する該アームに、上記粘着クリーナー用補助具を構成する固定部が固定された側又はその反対側を使用者の手指による感触により認知できるものであるとともに、
該識別体には、上記把手に貼付される接着剤又は粘着剤が塗布されてなることを特徴とする粘着クリーナー用補助具セット。
【発明の詳細な説明】
【技術分野】
【０００１】
本発明は、外周面に粘着剤が塗布されたローラーが軸体を中心に回転自在に支持された粘着クリーナーに装着することにより、衣服の背中に付着した塵埃を、該衣服を着たままで除去するために使用される粘着クリーナー用補助具又はこの粘着クリーナー用補助具を用いた粘着クリーナー若しくは粘着クリーナー用補助具セットに関するものである。
【背景技術】
【０００２】
従来、食品製造業においては、食品衛生管理上の観点から、使用する器具や長靴などの消毒処理は勿論、製造する食品への異物の混入を回避するために、作業者が工場へ入場する際には、衣服に付着している塵埃を除去することを目的に様々な処置を施している。例えば、工場への入り口にエアーシャワー室を配置し、このエアーシャワー室にてエアーを作業者の作業服に吹き付けることにより、作業服に付着した塵埃を除去する方法が採用されている。しかし、こうしたエアーシャワー室を配置することはコスト高となるとともに、高圧のエアーを作業服に吹き付けても完全に除去できない場合もある。
【０００３】
他方、衣服に付着したゴミや塵埃を除去することを目的とする粘着クリーナーは、近年家庭などにおいて一般化している。この粘着クリーナー１は、図１に示すように、樹脂により一体形成された粘着ローラー２と、この粘着ローラー２の外周面に取り外し可能に積層された粘着シート３と、上記粘着ローラー２を転動自在に支持してなる支軸４ａを備えてなるとともに使用者が把持する把手４ｂとを有するアーム４とを備えてなるものである（特許文献１参照）。そして、この粘着クリーナー１は、使用者が上記把手４ｂを把持し、上記粘着シート３を例えば図示しないカーペットに押し付けながら上記支軸４ａを回転中心として転動させることにより、カーペット上の塵埃を上記粘着シート３に塗布された粘着剤に粘着させて除去するものである。なお、この粘着クリーナー１は、多数回の使用に伴って、上記粘着剤に多量の塵埃が付着することにより、その粘着性が劣るに至った場合には、上記外側の粘着シート３を剥がし取り、その粘着シート３の下側に位置する新たな粘着シート３を外周面に露出させて再度使用することができるタイプのものである。
【先行技術文献】
【特許文献】
【０００４】
【特許文献１】特開平８−２４２０６号公報
【発明の概要】
【発明が解決しようとする課題】
【０００５】
そこで、上述した食品製造業においても、上記粘着クリーナー１を用いて作業服に付着した塵埃やゴミを除去する方法が考えられる。
【０００６】
しかしながら、上記市販の粘着クリーナー１では、作業者が自己の作業服に付着した塵埃等を除去する際、作業服の前側や作業ズボンの前側及び後ろ側については、上記把手４ｂを把持しながら片手で操作することが十分可能であるが、作業服の背中に付着した塵埃等に関しては、他の作業者の手助けなしに自力で除去することは極めて困難である。
【０００７】
そこで、本発明は、作業服等の衣服の背中部分（後ろ身ごろ）に付着した塵埃等を、他の作業者ないし補助者の手助けなしに自力で簡単に除去することができる粘着クリーナー用補助具又はこの粘着クリーナー用補助具を用いた粘着クリーナーを提供することを目的とするものである。
【課題を解決するための手段】
【０００８】
本発明は、上記の課題を解決するために提案されたものであって、第１の発明（請求項１記載の発明）は、粘着クリーナー用補助具に係るものであって、粘着ローラーと、この粘着ローラーの外周面に貼付された粘着シートと、上記粘着ローラーを転動自在に支持してなる支軸を備えたアームと、使用者が把持する把手と、を有してなる粘着クリーナーを用いて作業服などの衣服の後ろ身ごろに付着した塵埃等の付着物を除去するために使用されるものであって、一端は、上記粘着クリーナーを構成するアーム又は支軸若しくはそれらの近傍に着脱可能に連結される連結部が配置され、他端は、使用者が把持する把持部が形成されてなるとともに、紐，ロープ，チェーン，コイルバネ又はゴム等からなる長尺体を備えてなることを特徴とするものである。
【０００９】
この第１の発明に係る粘着クリーナー用補助具では、上記連結部を介して粘着クリーナーを構成するアーム，支軸又はその近傍に長尺体を連結し、該粘着クリーナーに設けられた把手を一方の手で把持しながら、長尺体の他端に形成された把持部を他の手で把持するとともに、粘着ローラーを衣服の背中側（後ろ身ごろ）において上下方向に転動させることにより、衣服の後ろ身ごろに付着した塵埃やゴミ等の付着物が除去される。特に、衣服の背中側（後ろ身ごろ）に毛髪が付着している場合には、これを確実に除去することができる。
【００１０】
なお、上記長尺体は、紐、ロープ又はコイルバネ等のように、可撓性が有るとともに適当な長さを有してなるものであればよく、その長さは上述したように、粘着クリーナーを構成する粘着ローラーを使用者の背中側（後ろ身ごろ）において上下方向に転動させるのに適した長さであればよい。また、上記長尺体は、必ずしも単一の形状や素材からなるものである必要性はなく、例えば、紐又はロープとコイルバネ又はゴム紐とを互いに連結したものであっても良い。
【００１１】
また、第２の発明（請求項２記載の発明）は、粘着ローラーと、この粘着ローラーの外周面に貼付された粘着シートと、上記粘着ローラーを転動自在に支持してなる支軸を備えたアームと、使用者が把持する把手と、を有してなる粘着クリーナーを用いて作業服などの衣服の後ろ身ごろに付着した塵埃等の付着物を除去するために使用されるものであって、一端は、上記粘着クリーナーを構成するアームに着脱可能に固定される固定部と、この固定部から粘着ローラー側に延在されてなる軸部と、この軸部の先端に形成されてなる連結部と、一端はこの連結部に連結され他端は使用者が把持する把持部が形成されてなるとともに紐，ロープ，チェーン，コイルバネ又はゴム等からなる長尺体と、を備えてなることを特徴とするものである。
【００１２】
この第２の発明では、軸部の一端には、粘着クリーナーを構成するアームに着脱可能に固定される固定部が形成され、他端には長尺体の一端が連結される連結部が形成されており、上記粘着クリーナーを構成するアームは、粘着ローラーの中央に位置している場合が多いので、衣服の背中側に付着した塵埃を除去する操作が一層良好となる。
【００１３】
また、第３の発明（請求項３記載の発明）は、上記第１又は第２の発明の何れかにおいて、前記長尺体は、コイルバネ又はゴム紐若しくはゴムチューブ等の弾性材を含んでなることを特徴とするものである。
【００１４】
この第３の発明では、上記長尺体がコイルバネ又はゴム紐若しくはゴムチューブ等の弾性材を含んでなることから、使用時においてこの弾性材が伸縮することとなり、作業者や使用者の身長や体型が異なる場合であっても極めて使い勝手が良好となる。
【００１５】
なお、上記弾性材は、該弾性材全体が長尺体とされている場合と、該長尺体の一部が弾性材である場合とを含み、また、弾性材としてコイルバネを選択した場合であっても、その素材は、金属であるばかりではなく樹脂であっても良い。
【００１６】
また、第４の発明（請求項４記載の発明）は、前記第１又は第２の発明の何れかの発明において、前記長尺体は、コイルバネであるとともに、該コイルバネには伸縮時において該コイルバネを被覆する被覆体が装着されてなることを特徴とするものである。
【００１７】
この第４の発明では、コイルバネには伸縮時において該コイルバネを被覆する被覆体が装着されてなることから、粘着クリーナーを使用者の衣服の後ろ身ごろにおいて上下方向に転動させた際に、上記コイルバネに使用者の頭髪等が挟まれてしまうことを有効に防止することができる。
【００１８】
なお、上記被覆体は、一端がコイルバネの一端又はその近傍に固定され、他端は該コイルバネの他端又はその近傍に固定され、このコイルバネの伸縮動作に対応して伸縮すること（伸縮性を有してなること）が好ましいが、こうした伸縮性を有していなくても、コイルバネが伸長された際の長さとほぼ同じ長さに成形され、該コイルバネの収縮に伴い撓むものであっても良い。
【００１９】
また、第５の発明（請求項５記載の発明）は、前記第１又は第２の発明の何れかの発明において、前記長尺体は、前記連結材が配置されたコイルバネと、一端がこのコイルバネに接続され他端には前記把持部が形成された紐，ロープ，チェーンとからなり、上記コイルバネには、被覆体により覆われてなることを特徴とするものである。
【００２０】
この第５の発明では、長尺体がコイルバネと紐，ロープ，チェーンとからなり、上記コイルバネの伸縮性により、使用者の身長や体型が異なる場合であっても極めて使い勝手が良好となるばかりではなく、該コイルバネの配置位置は最も粘着クリーナーに近い位置とされているとともに、このコイルバネは被覆体により覆われてなることから、使用者の頭髪等が挟まれてしまう危険性を一層防止することができる。
【００２１】
また、第６の発明（請求項６記載の発明）は、粘着クリーナーに係るものであって、粘着ローラーと、この粘着ローラーの外周面に貼付された粘着シートと、上記粘着ローラーを転動自在に支持してなる支軸を備えたアームと、使用者が把持する把手と、を有してなる粘着クリーナー本体と、一端は、上記アーム，支軸又はその近傍に着脱可能に連結される連結部が形成され、他端は、使用者が把持する把持部が固定されてなるとともに紐、ロープ，チェーン又はコイルバネ又はゴム等の長尺体を備えてなることを特徴とするものである。
【００２２】
また、第７の発明（請求項７記載の発明）は、粘着クリーナーに係るものであって、粘着ローラーと、この粘着ローラーの外周面に貼付された粘着シートと、上記粘着ローラーを転動自在に支持してなる支軸を備えたアームと、使用者が把持する把手と、を有してなる粘着クリーナー本体と、一端は、上記アームに着脱可能に固定される固定部と、この固定部から粘着ローラー側に延在されてなる軸部と、この軸部の先端に形成されてなる連結部と、一端はこの連結部に連結され他端は使用者が把持する把持部が形成されてなるとともに紐，ロープ，チェーン，コイルバネ又はゴム等からなる長尺体と、を備えてなることを特徴とするものである。
【００２３】
また、第８の発明（請求項８記載の発明）は、前記第７の発明において、前記把手には、前記固定部が前記アームに連結された側又はその反対側を使用者の手指による感触により認知できる識別部が形成されてなることを特徴とするものである。
【００２４】
この第８の発明によれば、粘着クリーナーを背中側に移動させた際に、使用者は手指で該粘着クリーナーの方向性を認識・識別することができるので、より使い勝手が良いものとなる。
【００２５】
また、第９の発明（請求項９記載の発明）は、粘着クリーナー用補助具セットに係るものであり、前記第２の発明（請求項２記載の発明）に係る粘着クリーナー用補助具と、識別体と、が包装材により包装されてなる粘着クリーナー用補助具セットであって、上記識別体は、粘着ローラーと、この粘着ローラーの外周面に貼付された粘着シートと、上記粘着ローラーを転動自在に支持してなる支軸を備えたアームと、使用者が把持する把手と、を有してなる粘着クリーナーを構成する該アームに、上記粘着クリーナー用補助具を構成する固定部が固定された側又はその反対側を使用者の手指による感触により認知できるものであるとともに、該識別体には、上記把手に貼付される接着剤又は粘着剤が塗布されてなることを特徴とするものである。
【００２６】
この第９の発明によれば、使用者が購入し又は用意した粘着クリーナーに対して、上記（請求項２記載の）粘着クリーナー用補助具を構成する固定部を介して該粘着クリーナーを構成するアームに固定させるとともに、該粘着クリーナーを構成する把手に対して、上記識別体に塗布された接着剤又は粘着剤を介して貼付することにより、上記粘着クリーナー用補助具を構成する固定部が固定された側又はその反対側を使用者の手指による感触により認知できることから、粘着クリーナーを背中側に移動させた際に、使用者は手指で該粘着クリーナーの方向性を認識・識別することができるので、より使い勝手が良いものとなる。
【発明の効果】
【００２７】
第１の発明（請求項１記載の発明）又は第６の発明（請求項６記載の発明）では、上記粘着クリーナー又は粘着クリーナー本体に設けられた把手を一方の手で把持しながら、上記把持部を他の手で把持するとともに、粘着ローラーを作業者の背中側において上下動させることにより、例えば作業服などの衣服の背中側に付着した塵埃やゴミ等の付着物を容易に除去することができる。したがって、この発明によれば、高コストなエアーシャワー室を設ける必要がないばかりか、エアーシャワー室を設けた場合であっても該エアーシャワー室では除去できないゴミや付着物を確実に除去することが可能となる。
【００２８】
また、第２の発明（請求項２記載の発明）又は第７の発明（請求項７記載の発明）では、軸部の一端には、粘着クリーナーを構成するアームに着脱可能に固定される固定部が形成され、他端には長尺体の一端が連結される連結部が形成されており、上記粘着クリーナーを構成するアームは、粘着ローラーの中央に位置している場合が多いので、衣服の背中側に付着した塵埃を除去する操作が一層良好となる。
【００２９】
また、第３の発明（請求項３記載の発明）では、上記長尺体がコイルバネ又はゴム紐若しくはゴムチューブ等の弾性材を含んでなることから、使用時においてこの弾性材が伸縮することとなり、作業者や使用者の身長や体型が異なる場合であっても極めて使い勝手が良好となる。
【００３０】
また、第４の発明（請求項４記載の発明）では、コイルバネには伸縮時において該コイルバネを被覆する被覆体が装着されてなることから、粘着クリーナーを使用者の衣服の後ろ身ごろにおいて上下方向に転動させた際に、上記コイルバネに使用者の頭髪等が挟まれてしまうことを有効に防止することができる。
【００３１】
また、第５の発明（請求項５記載の発明）では、長尺体がコイルバネと紐，ロープ，チェーンとからなり、上記コイルバネの伸縮性により、使用者の身長や体型が異なる場合であっても極めて使い勝手が良好となるばかりではなく、該コイルバネの配置位置は最も粘着クリーナーに近い位置とされているとともに、このコイルバネは被覆体により覆われてなることから、使用者の頭髪等が挟まれてしまう危険性を一層防止することができる。
【００３２】
また、第８の発明（請求項８記載の発明）によれば、粘着クリーナーを背中側に移動させた際に、使用者は手指で該粘着クリーナーの方向性を認識・識別することができるので、より使い勝手が良いものとなる。
【００３３】
また、第９の発明（請求項９記載の発明）によれば、使用者が購入し又は用意した粘着クリーナーに対して、上記（請求項２記載の）粘着クリーナー用補助具を構成する固定部を介して該粘着クリーナーを構成するアームに固定させるとともに、該粘着クリーナーを構成する把手に対して、上記識別体に塗布された接着剤又は粘着剤を介して貼付することにより、上記粘着クリーナー用補助具を構成する固定部が固定された側又はその反対側を使用者の手指による感触により認知できることから、粘着クリーナーを背中側に移動させた際に、使用者は手指で該粘着クリーナーの方向性を認識・識別することができるので、より使い勝手が良いものとなる。
【図面の簡単な説明】
【００３４】
【図１】粘着クリーナー及び粘着クリーナー用補助具を示す分解斜視図である。
【図２】図１に示す粘着クリーナー及び粘着クリーナー用補助具を使用して作業服の背中に付着した塵埃を除去する作業を模式的に示す模式図である。
【図３】コイルバネに被覆体が装着された粘着クリーナー用補助具を示す側面図である。
【図４】図３に示す粘着クリーナー用補助具を構成するコイルバネを伸張させた状態を示す側面図である。
【図５】粘着クリーナーと、他の粘着クリーナー用補助具を分解した状態とを示す斜視図である。
【図６】図５に示す粘着クリーナー及び粘着クリーナー用補助具を使用して作業服の背中に付着した塵埃を除去する作業を模式的に示す模式図である。
【発明を実施するための形態】
【００３５】
以下、本発明を実施するための実施の形態に係る粘着クリーナー及び粘着クリーナー用補助具について、図面を参照しながら詳細に説明する。
【００３６】
この実施の形態に係る粘着クリーナー用補助具（以下、補助具という。）１０は、図１に示すように、粘着クリーナー（本体）１に装着されるものである。この粘着クリーナー（本体）１は、市販されているものであり、樹脂により一体形成された粘着ローラー２と、この粘着ローラー２の外周面に取り外し可能に積層された粘着シート３と、上記粘着ローラー２を転動自在に支持してなるアーム４とから構成されている。
【００３７】
上記粘着ローラー２の外周面には、上記粘着シート３が多数枚貼付されている。これら各粘着シート３は、上記粘着ローラー２の外周長さと同じ長さを有してなるとともに、その幅は、上記粘着ローラー２の長さとほぼ等しいものとされている。したがって、最も外側に貼付されている粘着シート３を取り除くと、その取り除かれた粘着シート３の下に貼付されていた粘着シート３が露出される。また、上記粘着シート３が貼付された粘着ローラー２の中心には、該粘着ローラー２の長さ方向に貫通穴（符号は省略する。）が形成されている。一方、上記アーム４は、上記粘着ローラー２に形成された貫通穴に挿通されてなる支軸４ａと、この支軸４ａの基端側からほぼ直角に折曲されてなる第１の軸部（符号は省略する。）と、この第１の軸部から直角又は鈍角に折曲されてなる第２の軸部（符号は省略する。）と、この第２の軸部からさらに折曲され上記粘着ローラー２の径方向と直角をなす第３の軸部（符号は省略する。）を備えている。そして、上記第３の軸部には、把手４ｂが固定されている。
【００３８】
したがって、上記把手４ｂを使用者が把持し、後述するように衣服に粘着ローラー２（の粘着シート３）を押圧しながら移動させることにより、該粘着ローラー２は上記支軸４ａを中心に転動する。
【００３９】
そして、こうした粘着クリーナー１に装着される上記補助具１０は、図１に示すように、長尺体１１と、この長尺体１１の一端に配置された連結金具１２と、上記長尺体１１の他端に固定された把持部１３とから構成されている。
【００４０】
上記長尺体１１は、一端が上記連結金具１２に連結されてなるコイルバネ１１ａと、一端が上記コイルバネ１１ａに固定・連結されてなる紐体１１ｂとから構成されている。また、上記連結金具１２は、Ｃ字状に折曲された金具本体１２ａと、この金具本体１２ａの一端に回動可能に配置され該金具本体１２ａに形成された開口（符号は省略する。）を閉方向に該金具本体１２ａの内側から付勢されている開閉金具１２ｂとから構成されている。したがって、この開閉金具１２ｂを上記支軸４ａに押し当てると、該開閉金具１２ｂは、付勢方向と反対方向に回動して上記開口が解放され、支軸４ａが金具本体１２ａ内まで移動し開閉金具１２ｂとの係合が解除されると、再び上記開口が閉塞される。また、上記紐体１１ｂの他端には、上記把持部１３が固定されている。この把持部１３は、上記粘着クリーナー１を構成する把手４ｂと同じ部材である。
【００４１】
したがって、こうした補助具１０を、上記連結金具１２を介して粘着クリーナー１を構成する支軸４ａに連結させ、図２に示すように、使用者（作業者）Ｍの背中側に移動させ、左手Ｈ１で上記把手４ａを把持するとともに、右手Ｈ２で上記把持部１３を把持した上で、上記粘着クリーナー１を構成する粘着ローラー２が衣服（作業服）Ｗの後ろ身ごろ（符号は省略する。）を転動するように図２中矢印方向に移動させることにより、衣服（作業服）Ｗの後ろ身ごろに付着した塵埃やゴミ等を上記粘着シート３に付着させることができる（除去させる）ことができる。
【００４２】
この際、この実施の形態に係る補助具１０では、長尺体１１の一部が上記コイルバネ１１ａであり、上述した使用中においては、このコイルバネ１１ａが伸縮することから、使用者（作業者）の身長や体型が異なる場合であっても使用することができ汎用性が高いとともに、使用者（作業者）は、左手Ｈ１又は右手Ｈ２の何れかを固定し、他方の手のみを動かした場合であっても、上記粘着ローラー２を転動させることもできる。さらに、この実施の形態に係る補助具１０では、上記コイルバネ１１ａが粘着ローラー２に近い位置に配置されており、使用者（作業者）の頭部からは離れた位置とされていることから、使用中に頭髪がこのコイルバネ１１ａに挟み込まれたり巻きついたりする危険性を有効に防止することができる。
【００４３】
なお、上記実施の形態に係る補助具１０には、図３に示すように、上記コイルバネ１１ａには、被覆体１４が配置されていても良い。この被覆体１４は、上記コイルバネ１１ａを外側から覆うものであり、樹脂により一体成形されてなるものである。この被覆体１４は、上記コイルバネ１１ａの外径よりもやや大径に成形された筒状体であり、一端（連結金具１２が配置された側）は解放され、他端は上記紐体１１ｂが挿通され上記コイルバネ１１ａの外径よりも小径とされた挿通穴（符号は省略する。）が形成されている。また、この被覆体１４は、上記コイルバネ１１ａが伸張された際に長さよりもやや長尺な長さとされ、長尺体１１全体の長さよりも短いものとされている。
【００４４】
したがって、こうした補助具１０によれば、図３に示された状態からコイルバネ１１ａが伸張されても、図４に示すように、該コイルバネ１１ａは被覆体１４の内側において伸張されるのみであり、被覆体１４からコイルバネ１１ａが外部に露出しないことから、使用中に頭髪がこのコイルバネ１１ａに挟み込まれたり巻きついたりする危険性をより一層防止することができる。
【００４５】
なお、上記実施の形態に係る補助具１０では、本発明を構成する長尺体として、コイルバネ１１ａを長尺体１１の一部として使用したが、本発明を構成する長尺体全てがコイルバネからなるものであっても良いし、長尺体全てが紐やロープ又はチェーンであっても良い。さらに、上記実施の形態のように、弾性材を長尺体として使用する場合においても、上述したコイルバネ１１ａではなく、ゴム紐やゴムチューブであっても良いし、これらを長尺体の一部として使用しても良い。
【００４６】
また、上記実施の形態では、本発明に係る補助具１０が連結される粘着クリーナー１として、市販されているものを図示して説明したが、この粘着クリーナー１は、市販のものを使用することなく、上述した補助具１０の使用に適した形状，構造のものとして製造されたものであっても良い。
【００４７】
次に、他の実施の形態に係る粘着クリーナー用補助具２０について図面を参照しながら詳細に説明する。
【００４８】
この粘着クリーナー用補助具２０は、図５に示すように、軸体２１と、この軸体２１の一端に固定されてなる固定部２２と、上記軸体２１の他端に形成されてなる連結部２３と、上記連結部２３に連結された長尺体２４とから構成されている。
【００４９】
上記軸体２１は、鉄などの金属により棒状に成形されてなるものであり、一端側には一方の直線部２１ａが形成され、他端側には他方の直線部２１ｂが形成され、上記一方の直線部２１ａと他方の直線部２１ｂとの間には傾斜部２１ｃが形成されている。また、上記固定部２２は、上記軸体２１の一端に溶接されてなる一方の挟持部材２５と、この挟持部材２５と協同することにより、粘着クリーナー１を構成するアーム４を挟持する他方の挟持部材２６と、上記一方の挟持部材２５と他方の挟持部材２６とが互いに接近し又は離間する方向に移動させる複数（二つ）のネジ２７，２８とから構成されている。そして、上記一方の挟持部材２５と他方の挟持部材２６とのそれぞれの対向面には、上記アーム４の外形形状に対応した円弧状の溝２５ａ，２６ａがそれぞれ形成されている。また、一方の挟持部材２５と他方の挟持部材２６とには、それぞれ上記ネジ２７，２８が挿通される透孔２５ｂ，２５ｃ，２６ｂ，２６ｃが形成され、該透孔２６ｂ，２６ｃに形成された透孔の内周面には、上記ネジ２７，２８に螺着されるネジ部（符号は省略する。）が螺刻されている。また、上記軸体２１の他端に形成された他方の連結部２３は、中央に貫通穴２３ａが形成されてなるものである。
【００５０】
また、上記長尺体２４は、ゴム紐からなる紐体３０と、この紐体３０の一端に形成された一方のリング部３０ａと、他端に形成され把手となる他方のリング部３０ｂとから構成されている。なお、上記他方のリング部３０ｂの大きさは、使用者の手全体が挿通できる程度の内径を備えており、上記一方のリング部３０ａは該他方のリング部３０ｂの内径よりも小さいものとされている。そして、上記一方のリング部３０ａには、金属性のフック３１の基端に形成されたリング部材３２が挿通されている。なお、このフック３１の先端は円弧状に湾曲されており、該フック３１には、操作部３３ａをスライド操作することにより、上記湾曲された部位により形成された内側の開口を開閉自在となす開閉部材３３が配置されている。したがって、上記操作部３３ａをスライド操作することにより、上記湾曲された部位を上記他方の連結部２３に形成された上記貫通穴２３ａ内に挿通することにより、上記長尺体２４の一端と上記軸体２１の他端とが連結される。
【００５１】
また、上記固定部２２を構成する一方の挟持部材２５と他方の挟持部材２６とにより、上記アーム４（であって把手４ｂから前方に伸びた部位）を挟持させるとともに、上記ネジ２７，２８を介して該一方の挟持部材２５と他方の挟持部材２６とを接近させることにより、該アーム４に上記粘着クリーナー用補助具２０が連結される。
【００５２】
したがって、上述した粘着クリーナー用補助具２０を粘着クリーナー（本体）１に固定させる（装着する）と、図６に示すように、上記軸体２１の他端側は、粘着ローラー２のほぼ中心に位置することとなり、上記実施の形態で説明した補助具１０よりも一層使い勝手の良いものとなる。
【００５３】
なお、この実施の形態では、上記粘着クリーナー用補助具２０以外に、図５に示す識別体４０が構成要素とされている。この識別体４０は、粘着クリーナー１を構成する上記把手４ｂの上面又は下面に貼付される部材であって、上面（表面）には、多数の凹凸又は溝等のように使用者の手指による触感により該識別体４０の存在を認知できる形状を有しており、下面（裏面）には図示しない接着剤が塗布され、該接着剤を介して上記アーム４に貼付されている。ここで、上記識別体４０の貼付位置の一例を説明すると、この識別体４０の貼付位置は、図６に示すように、上記粘着クリーナー（本体）１に、上記粘着クリーナー用補助具２０を構成する固定部２２を固定させた側に貼付する。このような位置に上記識別体４０を貼付することにより、上記粘着クリーナー用補助具２０が位置する側とは反対側で塵埃を除去する作業を行うべきことが、使用者の手指による触感により認識することが可能となる。なお、上記識別体４０の貼付位置は、上述した位置とは反対方向としても良い。識別体４０を何れの位置に貼付しても、手指で識別することができるからである。
【００５４】
また、上述した粘着クリーナー用補助具２０は、上記粘着クリーナー１と共に、又は該粘着クリーナー用補助具２０を上記粘着クリーナー１に固定・装着させた状態で販売される場合もあるが、上記粘着クリーナー用補助具２０と、上記識別体４０とが、図示しない包装箱や包装袋等の包装材により包装された状態で、粘着クリーナー用補助具セットとして構成されているものであっても良い。なお、粘着クリーナー用補助具セットを構成する包装材内には、上記粘着クリーナー用補助具２０と識別体４０以外に、組立方法や使用方法、さらには、上記一方の挟持部材２５と他方の挟持部材２６とを締め付けるネジ２７，２８を螺進又は螺退させる工具などが封入されていても良い。
【符号の説明】
【００５５】
１  粘着クリーナー
２  粘着ローラー
３  粘着シート
４  アーム
４ａ  支軸
４ｃ  把手
１０  補助具
１１  長尺体
１１ａ  コイルバネ
１１ｂ  紐体
１２  連結金具
１３  把持部
１４  被覆体
２０  粘着クリーナー用補助具
２１  軸体
２２  固定部
２３  連結部
２４  長尺体
４０  識別体
【図１】
2010284500.tif 000003
【図２】
2010284500.tif 000004
【図３】
2010284500.tif 000005
【図４】
2010284500.tif 000006
【図５】
2010284500.tif 000007
【図６】
2010284500.tif 000008